(57)【要約】【課題】本願は、ガスタービンエンジンを提供する。【解決手段】ガスタービンエンジンは、圧縮機と、圧縮機の上流に位置決めされた流入空気システムとを含むことができる。流入空気システムは、蒸発冷却のための湿潤媒体パッドを含むことができる。湿潤媒体パッドは、内部に複数のマイクロチャネルを有する複数の合成媒体シートを含むことができる。【選択図】図３
2018162785.tif 000002
【特許請求の範囲】
【請求項１】
ガスタービンエンジン（１０）であって、
圧縮機（１２）と、
前記圧縮機（１２）の上流に位置決めされた流入空気システム（２８）と
を備え、
前記流入空気システム（２８）は、蒸発冷却用の湿潤媒体パッド（３８）を備え、
前記湿潤媒体パッド（３８）は、内部に複数のマイクロチャネル（４１０）を有する複数の合成媒体シート（１２５）を備える、ガスタービンエンジン（１０）。
【請求項２】
前記複数の合成媒体シート（１２５）が、ポリエチレンテレフタレート（ＰＥＴ）、ポリトリメチレンテレフタレート（ＰＴＴ）、ナイロン、ポリエステルまたはポリプロピレンを含む、請求項１に記載のガスタービンエンジン（１０）。
【請求項３】
前記流入空気システム（２８）が、前記湿潤媒体パッド（３８）と連通する水流（３２）を含む、請求項１に記載のガスタービンエンジン（１０）。
【請求項４】
前記流入空気システム（２８）がフィルタ（４２）を備え、前記フィルタ（４２）が前記複数の合成媒体シート（１２５）を備える、請求項１に記載のガスタービンエンジン（１０）。
【請求項５】
前記流入空気システム（２８）がミストエリミネータ（４４）を備え、前記ミストエリミネータ（４４）が前記複数の合成媒体シート（１２５）を備える、請求項１に記載のガスタービンエンジン（１０）。
【請求項６】
前記複数の合成媒体シート（１２５）は、
第１の媒体シート（１３０）であって、
前記第１の媒体シート（１３０）はシェブロンコルゲート面（２００）を備える、第１の媒体シート（１３０）と、
第２の媒体シート（１４０）であって、
前記第２の媒体シート（１４０）は波形コルゲート面（２７０）を備える、第２の媒体シート（１４０）と
を含む、請求項１に記載のガスタービンエンジン（１０）。
【請求項７】
前記第１の媒体シート（１３０）および前記第２の媒体シート（１４０）は、前縁（１６０）から後縁（１７０）まで延伸する、請求項６に記載のガスタービンエンジン（１０）。
【請求項８】
前記前縁（１６０）が流入空気流（２２）に面している、請求項７に記載のガスタービンエンジン（１０）。
【請求項９】
前記シェブロンコルゲート面（２００）および前記波形コルゲート面（２７０）は、前記前縁（１６０）から前記後縁（１７０）に向かって延伸する、請求項７に記載のガスタービンエンジン（１０）。
【請求項１０】
前記前縁（１６０）および前記後縁（１７０）がダイヤモンド状の形状（３３０）を備える、請求項７に記載のガスタービンエンジン（１０）。
【請求項１１】
前記ダイヤモンド状の形状（３３０）は、接合部分（３４０）と膨張部分（３５０）とを備える、請求項１０に記載のガスタービンエンジン（１０）。
【請求項１２】
前記シェブロンコルゲート面（２００）
は、斜めに立ち上がる部分（２２０）および斜めに立ち下がる部分（２３０）を有する複数のシェブロンチャネル（２１０）を備える、請求項６に記載のガスタービンエンジン（１０）。
【請求項１３】
前記波形コルゲート面（２７０）が、山（３００）および谷（３１０）を有する複数の波形チャネル（２８０）を備える、請求項６に記載のガスタービンエンジン（１０）。
【請求項１４】
前記複数のマイクロチャネル（４１０）は、複数の押し出しマイクロチャネルを含む、請求項１に記載のガスタービンエンジン（１０）。
【請求項１５】
ガスタービンエンジン（１０）の流入空気流（２２）を冷却する方法であって、
合成媒体パッド（１２０、４００）を前記ガスタービンエンジン（１０）の入口の周りに位置決めするステップであって、前記合成媒体パッド（１２０、４００）は、内部に複数のマイクロチャネル（４１０）を備える、位置決めするステップと、
前記合成媒体パッド（１２０、４００）の上部から下部に水を流すステップと、
前記複数のマイクロチャネル（４１０）を通じて空気を流すステップと、
前記流入空気流（２２）と水流（３２）との間で熱を交換するステップと
を含む、方法。
【請求項１６】
ガスタービンエンジン（１０）であって、
圧縮機（１２）と、
前記圧縮機（１２）の上流に位置決めされた流入空気システム（２８）と
を備え、
前記流入空気システム（２８）は、蒸発冷却用の湿潤媒体パッド（３８）を備え、
前記湿潤媒体パッド（３８）は、複数のシェブロンチャネル（２１０）を有する第１の合成媒体シート（１３０）、複数の波形チャネル（２８０）を有する第２の合成媒体シート（１４０）を含み、前記第１の合成媒体シート（１３０）および前記第２の合成媒体シート（１４０）は、内部に複数のマイクロチャネル（４１０）を備える、ガスタービンエンジン（１０）。
【請求項１７】
前記第１の合成媒体シート（１３０）および前記第２の合成媒体シート（１４０）が、ポリエチレンテレフタレート（ＰＥＴ）、ポリトリメチレンテレフタレート（ＰＴＴ）、ナイロン、ポリエステルまたはポリプロピレンを含む、請求項１６に記載のガスタービンエンジン（１０）。
【請求項１８】
前記第１の媒体シート（１３０）および前記第２の媒体シート（１４０）は、前縁（１６０）から後縁（１７０）まで延伸し、前記前縁（１６０）および前記後縁（１７０）はダイヤモンド状の形状（３３０）を備える、請求項１６に記載のガスタービンエンジン（１０）。
【請求項１９】
前記複数のシェブロンチャネル（２１０）は、斜めに立ち上がる部分（２２０）および斜めに立ち下がる部分（２３０）を備える、請求項１６に記載のガスタービンエンジン（１０）。
【請求項２０】
前記複数の波形チャネル（２８０）が、山（３００）および谷（３１０）を備える、請求項１６に記載のガスタービンエンジン（１０）。
【発明の詳細な説明】
【技術分野】
【０００１】
本願および結果としてもたらされる特許は、一般にガスタービンエンジンに関するものであり、より詳細には、全体的な冷却効率を改善するためのマイクロチャネルが内部に形成されているガスタービンエンジンのための蒸発冷却媒体に関する。
【背景技術】
【０００２】
従来のガスタービンエンジンは、周囲空気の流れを圧縮する圧縮機と、周囲空気の圧縮された流れを燃料の流れと混合して高温燃焼ガスの流れを作り出す燃焼器と、機械的な仕事を精製するために高温燃焼ガスによって駆動されるタービンとを含む。タービンは、電力用の発電機のような負荷を駆動することができる。ガスタービンエンジンが生成することができる動力の量を増加させるための様々な戦略が知られている。動力出力を増加させる１つの方法は、コンプレッサの上流の入来する周囲空気流を冷却することによるものである。そのような冷却は、空気流がより高い密度を有するようにし、それによって圧縮機へのより高い質量流量を生成することができる。圧縮機への質量流量をより高くすることによって、より多くの空気を圧縮して、ガスタービンエンジンがより多くの動力を生成できるようにすることができる。さらに、周囲空気流を冷却することによって、一般的に、高温環境においてガスタービンエンジンの全体効率を増加させることができる。
【０００３】
様々なシステムおよび方法が、ガスタービンエンジンに入る周囲空気流を冷却するために利用され得る。例えば、１つまたは複数の熱交換器を備えた流入空気システムを使用して、潜熱冷却または顕熱冷却を通じて周囲空気流を冷却することができる。そのような熱交換器は、多くの場合、周囲空気流の冷却を容易にするために湿潤媒体パッドを利用し得る。これらの湿潤媒体パッドは、周囲空気流と水流などの冷却剤流との間の熱および／または質量移動を可能にすることができる。周囲空気流は、湿潤媒体パッド内の冷却剤流と相互作用して、湿潤媒体パッドと熱交換する。このような湿潤媒体パッドを通る空気流通路は、効果的な水の蒸発および周囲空気の流れと水流からの水蒸気との混合をもたらすことを意図している。しかしながら、風速が増加するにつれて、撥水が起こることがある。具体的には、空気中の水滴が、下流の入口ダクト内で合体し、および／または圧縮機に流入することがある。このような水滴は、ブレードの摩耗および他の種類の損傷を引き起こす可能性がある。
【０００４】
逆に、様々なタイプの流入空気濾過システムを圧縮機の上流で使用することができる。入来する空気流は、ガスタービンエンジンまたは他のタイプの動力生成機器の性能に影響を及ぼす可能性のある水などの流体粒子を含むことがある。このような流体粒子は、ガスタービンエンジンおよび他のタイプの動力生成機器の寿命および性能を低下させる可能性がある。これらの問題を回避するために、空気流から流体粒子を除去するのを助けるために、流入空気は一連のフィルタおよびスクリーンを通過することができる。ガスタービンエンジンは、出力増強システムと流入空気濾過システムの両方を利用することができる。
【先行技術文献】
【特許文献】
【０００５】
【特許文献１】米国特許出願公開第２０１６０１４６０４３号明細書
【発明の概要】
【０００６】
したがって、本願および結果として得られる特許により、ガスタービンエンジンが提供される。ガスタービンエンジンは、圧縮機と、圧縮機の上流に位置決めされた流入空気システムとを含むことができる。流入空気システムは、蒸発冷却のための湿潤媒体パッドを含むことができる。湿潤媒体パッドは、内部に複数のマイクロチャネルを有する複数の合成媒体シートを含むことができる。
【０００７】
本願および結果として得られる特許は、ガスタービンエンジンの流入空気流を冷却する方法をさらに提供する。この方法は、合成媒体パッドをガスタービンエンジンの入口の周りに位置決めするステップであって、合成媒体パッドは、内部に複数のマイクロチャネルを含むことができる、位置決めするステップと、合成媒体パッドの上部から下部に水を流すステップと、複数のマイクロチャネルを通じて空気を流すステップと、流入空気流と水流との間で熱を交換するステップとを含むことができる。
【０００８】
したがって、本願および結果として得られる特許により、ガスタービンエンジンがさらに提供される。ガスタービンエンジンは、圧縮機と、圧縮機の上流に位置決めされた流入空気システムとを含むことができる。流入空気システムは、蒸発冷却のための湿潤媒体パッドを含むことができる。湿潤媒体パッドは、複数のシェブロンチャネルを有する第１の合成媒体シート、複数の波形チャネルを有する第２の合成媒体シートを含むことができ、第１の合成媒体シートおよび第２の合成媒体シートは、内部に複数のマイクロチャネルを含む。
【０００９】
本願および結果として得られる特許におけるこれらならびに他の特徴および改良点は、いくつかの図面および添付の特許請求の範囲と併せて、以下の発明を実施するための形態を精査することにより、当業者には明らかとなる。
【図面の簡単な説明】
【００１０】
【図１】圧縮機と、燃焼器と、タービンと、負荷とを有するガスタービンエンジンの概略図である。
【図２】図１のガスタービンエンジンとともに使用され得る流入空気システムの概略図である。
【図３】本明細書で説明され得る合成媒体パッドの第１の側面の斜視図である。
【図４】図３の合成媒体パッドの第２の側面の斜視図である。
【図５】図３の合成媒体パッドの側面図である。
【図６】複数のマイクロチャネルを有する合成媒体パッドの斜視図である。
【発明を実施するための形態】
【００１１】
ここで図面を参照すると、いくつかの図面を通して類似の符号は類似の要素を示し、図１は、ガスタービンエンジン１０の一例の概略図である。ガスタービンエンジン１０は、圧縮機１２と、燃焼器１４と、タービン１６とを含むことができる。単一の燃焼器１４のみが示されているが、本明細書において、任意の数の燃焼器１４が使用され、円周配列などに位置決めされてもよい。圧縮機１２およびタービン１６は、シャフト１８によって結合することができる。シャフト１８は、単一のシャフト、または、ともに連結された複数のシャフトセグメントであってもよい。シャフト１８は、発電機などの負荷を駆動することもできる。
【００１２】
ガスタービンエンジン１０は、ガスタービン空気入口２０をさらに含むことができる。空気入口２０は、流入空気流２２を受け入れるように構成することができる。例えば、空気入口２０は、ガスタービン入口ハウスなどの形態であってもよい。代替的に、空気入口２０は、流入空気流２２を受け入れることができる圧縮機１２の任意の部分または圧縮機１２の上流の任意の装置のような、ガスタービンエンジン１０の任意の部分であってもよい。流入空気流２２は、周囲空気であってもよく、調整されていてもよいし、調整されていなくてもよい。
【００１３】
ガスタービンエンジン１０は、排気出口２４をさらに含むことができる。排気出口２４は、ガスタービン排気流２６を排出するように構成することができる。排気流２６は、排熱回収蒸気発生器（図示せず）に導くことができる。代替的に、排気流２６は、例えば、水流を冷却するために吸収式チラー（図示せず）に導かれてもよく、排熱回収蒸気発生器（図示せず）に導かれても翼、脱塩プラントに導かれてもよく、または、全体的にもしくは部分的に周囲空気に分散されてもよい。
【００１４】
ガスタービンエンジン１０は、１つまたは複数の熱交換器３０を備えた流入空気システム２８をさらに含むことができる。流入空気システム２８は、圧縮機１２に入る前に流入空気流２２を冷却するように構成することができる。例えば、流入空気システム２８は、ガスタービン空気入口２０の周りに配置されてもよい。代替的に、流入空気システム２８は、ガスタービン入口２０の上流または下流にあってもよい。流入空気システム２８は、流入空気流２２および水流３２のような熱交換媒体が熱交換器３０内で熱交換することを可能にすることができる。熱交換媒体はまた、任意の適切なタイプの流体流であってもよい。したがって、熱交換器３０は、流入空気流２２とその中の水流３２との相互作用を促進して、圧縮機１２に入る前に流入空気流２２を冷却することができる。
【００１５】
熱交換器３０は、直接接触式熱交換器３０であってもよい。熱交換器３０は、熱交換媒体入口３４と、熱交換媒体出口３６と、それらの間の湿潤媒体パッド３８とを含むことができる。水流３２または他のタイプの熱交換媒体の流れは、熱交換媒体入口３４を通って湿潤媒体パッド３８に流れることができる。熱交換媒体入口３４は、ノズル、複数のノズル、オリフィスまたは複数のオリフィスを有するマニホールドなどを含んでもよい。熱交換媒体出口３６は、湿潤媒体パッド３８から排出された水流３２を受け入れることができる。熱交換媒体出口３６は、水流３２の方向において媒体パッド３８の下流に配置されたサンプであってもよい。水流３２は、熱交換媒体入口３４から湿潤媒体パッド３８を通って概ねまたはほぼ下方に導くことができ、一方、流入空気流２２は、熱交換器３０を通じて、水流３２の方向に概ねまたはほぼ垂直な方向に導くことができる。他のタイプのカウンタまたはクロスフロー構成も使用することができる。
【００１６】
流入空気流２２の方向において湿潤媒体パッド３８の上流にフィルタ４２を配置することができる。フィルタ４２は、微粒子がガスタービンエンジン１０に入るのを防止するように、流入空気流２２から微粒子を除去するように構成することができる。代替的に、フィルタ４２は、流入空気流２２の方向において湿潤媒体パッド３８の下流に配置されてもよい。流入空気流２２の方向において湿潤媒体パッド３８の下流にドリフトエリミネータ４４が配置されてもよい。ドリフトエリミネータ４４は、流入空気流２２が圧縮機１２に入る前に、流入空気流２２から水流３２の液滴を除去するように作用することができる。上述したように、ドリフトエリミネータ４４は、媒体パッド３８等の下流に、ある角度で位置決めされた複数の熱可塑性部品を含むことができる。この角度は、その中の水滴を分離するように空気流の方向を変える。湿潤媒体パッド３８およびドリフトエリミネータ４４は、間隙４６によって分離されていてもよい。間隙４６の長さは変化し得る。
【００１７】
熱交換器３０は、潜熱または蒸発冷却、および、流入空気と媒体に浸漬された水との間の温度差による対流熱伝達によって流入空気流２２を冷却するように構成することができる。潜熱冷却とは、空気のような気体から熱を除去して気体の水分含有量を変化させる冷却方法を指す。潜熱冷却は、気体を冷却するために、湿球温度より高い周囲温度で液体を蒸発させることを含み得る。具体的には、潜熱冷却を利用して、ガスをその湿球温度に近い温度まで冷却することができる。代替的に、熱交換器３０は、例えば、対流熱伝達などの顕熱冷却を通じて流入空気流２２を冷却するように構成されてもよい。顕熱冷却とは、空気の乾球温度および湿球温度を変化させるために、空気などの気体から熱を除去する冷却方法を指す。顕熱冷却は、液体を冷却し、次いで冷却した液体を用いて気体を冷却することを含むことができる。具体的には、ガスをその湿球温度未満もしく露点温度未満または露点温度未満に冷却するために、顕熱冷却を利用することができる。潜熱冷却と顕熱冷却は、互いに排他的な冷却方法ではないことを理解されたい。むしろ、これらの方法は、排他的にまたは組み合わせて行われてもよい。本明細書に記載された熱交換器３０は、潜熱冷却および顕熱冷却方法に限定されず、所望され得るように、任意の適切な冷却または加熱方法を通じて流入空気流２２を冷却または加熱することができることをさらに理解されたい。
【００１８】
図２、本明細書に記載され得るような流入空気システム１００の一例を示す。この例では、流入空気システム１００は、湿潤媒体パッド１０５および下流ドリフトエリミネータ１１０を含むことができる。湿潤媒体パッド１０５およびドリフトエリミネータ１１０は、間隙１１５によって分離されていてもよい。間隙１１５の長さは変化し得る。湿潤媒体パッド１０５および／またはドリフトエリミネータ１１０は、全体的または部分的に合成媒体パッド１２０から作製することができる。湿潤媒体パッド１０５およびドリフトエリミネータ１１０は、任意の適切なサイズ、形状、または構成を有することができる。ここで、他の構成要素および他の構成も、使用可能である。
【００１９】
図３〜図５に示すように、合成媒体パッド１２０は、内部に少なくとも一対の媒体シート１２５を含むことができる。この例では、第１の媒体シート１３０および第２の媒体シート１４０が示されているが、本明細書においては追加のシートが使用されてもよい。本明細書では、任意の適切なサイズ、形状、または構成の任意の数の媒体シート１２５が使用されてもよい。媒体シート１２５は、親水性表面増強を施されたまたは施されていない、不織合成繊維から熱的に形成されてもよい。例えば、不織合成繊維は、ポリエチレンテレフタレート（ＰＥＴ）、ポリトリメチレンテレフタレート（ＰＴＴ）、ナイロン、ポリエステル、ポリプロピレンなどを含むことができる。媒体シート１２５は、ポリエチレンテレフタレート（ＰＥＴ）、ポリトリメチレンテレフタレート（ＰＴＴ）、ナイロン、ポリエステル、ポリプロピレンなどのプラスチック材料から作製され、ダイを使用して形成されてもよい。さらに、成形ダイはローラタイプであってもよい。親水性表面増強は、高い処理温度での強アルカリ処理、アルカリ性媒体中のポリビニルアルコールなどの適用を含み得る。他の材料および処理を本明細書で使用することができる。媒体シート１２５は、その表面領域を通じて水流３２または他のタイプの熱交換媒体を受け入れ、吸収し、流し、分配するように湿潤可能であり得る。媒体シート１２５は、異なるタイプの熱交換媒体とともに利用されてもよい。
【００２０】
一般的に説明すると、媒体シート１２５は、実質的に三次元の輪郭形状１５０を有することができる。具体的には、媒体シート１２５は、入来する流入空気流２２に面する前縁１６０と、圧縮機１２の周りに面する下流後縁１７０とを含むことができる。同様に、媒体シート１２５は、水流３２を受け入れるための上縁１８０と、排水管等の周りに位置決めされた下流下縁１９０とを有することができる。
【００２１】
この例では、第１の媒体シート１３０は、シェブロン様コルゲート面２００を有することができる。シェブロン様コルゲート面２００は、内部に複数のシェブロンチャネル２１０を有することができる。本明細書では、任意の適切なサイズ、形状、または構成の任意の数のシェブロンチャネル２１０が使用されてもよい。具体的には、シェブロンチャネル２１０は、斜めに立ち上がる部分２２０および斜めに立ち下がる部分２３０を有することができる。斜めに立ち上がる部分２２０は、前縁１６０から延伸し、その頂点２４０の周りで斜めに立ち下がる部分２３０に行き当たる。立ち上がる部分および立ち下がる部分の角度は変化し得る。任意選択的に、シェブロンチャネル２１０の各々は、第１の側部ミストエリミネータ部分２５０で終端してもよい。第１の側部ミストエリミネータ部分２５０は、斜めに立ち下がる部分２３０の各々の天底２６０において斜め上方に鋭角に延伸することができる。第１の側部ミストエリミネータ部分２５０は、天底２６０から後縁１７０に向かって延伸することができる。ここで、他の構成要素および他の構成も、使用可能である。
【００２２】
第２の媒体シート１４０は波形コルゲート面２７０を有することができる。具体的には、波形コルゲート面２７０は、複数の波形チャネル２８０を有することができる。本明細書では、任意のサイズ、形状、または構成の任意の数の波形チャネル２８０が使用されてもよい。具体的には、波形チャネル２８０は、複数の山３００および谷３１０を有する実質的に正弦波状の形状２９０を有することができる。任意選択的に、波形チャネル２８０は、前縁１６０から第２の側部ミストエリミネータ部分３２０まで延伸することができる。第２の側部ミストエリミネータ部分３２０は、正弦状の形状２９０の谷３１０の１つから斜め上方に鋭角に延伸することができる。第２の側部ミストエリミネータ部分３２０は、谷３１０から後縁１７０に向かって延伸することができる。ここで、他の構成要素および他の構成も、使用可能である。
【００２３】
図５は、第２の媒体シート１４０に接合された第１の媒体シート１３０を示す。したがって、前縁１６０はダイヤモンド状の形状３３０を形成する。ダイヤモンド状の形状３３０は、媒体シート１３０，１４０が行き当たることができ、接着剤などを介して接合することができる接合部分３４０と、良好な空気流が通るための膨張部分３５０とを含むことができる。後縁１７０は同様に、良好な空気流が通るためにダイヤモンド状の形状３３０を含むことができる。任意選択的に、第１の側部ミストエリミネータ部分２５０および第２の側部ミストエリミネータ部分３２０は、組み合わさって、後縁１７０の周りに実質的に均一な形状の一体型ミストエリミネータ３６０を形成することができる。ここで、他の構成要素および他の構成も、使用可能である。
【００２４】
使用時には、水流３２は、合成媒体パッド１２０内の媒体シート１２５の上縁１８０から下縁１９０に流れることができる。媒体シート１２５は、そこを通る水流３２によって完全に湿潤することができる。流入空気流２２は、前縁１６０を介して入り、熱交換のために水流３２と接触する。媒体シート１２５の間に発生するねじりおよび旋回空気流に起因して、水流３２は流入空気流２２に蒸発して、水流３２の温度をおよそ流入空気湿球温度まで低下させることができる。具体的には、ねじりおよび旋回空気流はそれを通る熱および質量移動を増加させる。
【００２５】
第１の媒体シート１３０上のシェブロン様コルゲート面２００は、水流３２を前縁１６０に向かって分配するのを助ける。第２の媒体シート１４０の波形コルゲート面２７０は、剛性を提供し、水流３２を媒体深さにわたってより均一に広げる。任意選択の一体型ミストエリミネータ３６０は、それを通る空気流に対して鋭角に上方に延伸している。この角度は、急旋回における内部の任意の水滴に対する慣性力に依拠する。したがって、水滴は、重力の下で下方に排出され、媒体シート１２５内に残り得る。前縁１６０および後縁１７０でダイヤモンド状の形状３３０を使用することは、それを通る空気圧損失を低減するのにも役立つ。したがって、本明細書に記載の湿潤媒体パッド１０５は、単純化されたシステムにおける全体的なガスタービン出力低減および性能低下を回避または制限するために、高温の気候における全体的な空気質量流量を増加させることができる。
【００２６】
図６は、本明細書に説明され得るような合成媒体パッド４００のさらなる実施形態を示している。媒体シート２２０，２３０の一方または両方は、内部に形成された複数のマイクロチャネル４１０を含むことができる。本明細書では、任意の適切なサイズ、形状、または構成の任意の数のマイクロチャネル４１０が使用されてもよい。一例として、マイクロチャネル４１０は、小さい歯のダイを用いた押出プロセスにおいて、媒体シート２２０，２３０のプラスチック表面内に形成されてもよい。ダイは小さいマイクロチャネル４１０を形成するために小さい歯を有するローラタイプのものであってもよい。マイクロチャネル４１０は、幅が約１ミリメートル未満であってもよい。他のタイプの寸法を本明細書で使用することができる。他のタイプの製造技法を本明細書で使用することができる。任意の数の媒体シート２２０，２３０が、それらの間にマイクロチャネル４１０を形成するように、積み重ねられ、ともに積層されるか、または他の方法で接合されてもよい。
【００２７】
マイクロチャネル４１０は、分子力、例えば、毛細管現象で水を輸送する能力が与えられた場合に、流入空気と接触し得る表面のすべてに水が拡散することを可能にする。湿潤表面積が小さくなるほど、より多くの蒸発冷却がもたらされる。さらに、ウィック構造、すなわちマイクロチャネル４１０における蒸発は、全体の空気温度を低下させる。プラスチック媒体の水湿潤は、蒸発冷却効率を改善することができるように毛細管力によって助けられる。したがって、マイクロチャネル４１０を有する合成媒体パッド４００は、全体的なコスト節約のために媒体材料の使用を少なくして蒸発冷却を最適化することを可能にする。
【００２８】
上記は、本願およびその結果として得られる特許の特定の実施形態のみに関するものであることは明らかである。以下の請求項およびその等価物によって定義されるような本発明の一般的な趣旨および範囲を逸脱することなく、当業者は本明細書において多くの変更および修正を行うことができる。
【符号の説明】
【００２９】
１０  ガスタービンエンジン
１２  圧縮機
１４  燃焼器
１６  タービン
１８  シャフト
２０  ガスタービン空気入口
２２  流入空気流
２４  排気出口
２６  排気流
２８  流入空気システム
３０  熱交換器
３２  水流
３４  熱交換媒体入口
３６  熱交換媒体出口
３８  湿潤媒体パッド
４２  フィルタ
４４  ドリフトエリミネータ
４６  間隙
１００  流入空気システム
１０５  湿潤媒体パッド
１１０  下流ドリフトエリミネータ
１１５  間隙
１２０  合成媒体パッド
１２５  媒体シート
１３０  第１の媒体シート
１４０  第２の媒体シート
１５０  実質的に三次元の輪郭形状
１６０  前縁
１７０  下流後縁
１８０  上縁
１９０  下流下縁
２００  シェブロンコルゲート面
２１０  シェブロンチャネル
２２０  斜めに立ち上がる部分／媒体シート
２３０  斜めに立ち下がる部分／媒体シート
２４０  頂点
２５０  第１の側部ミストエリミネータ部分
２６０  天底
２７０  波形コルゲート面
２８０  波形チャネル
２９０  実質的に正弦波状の形状
３００  山
３１０  谷
３２０  第２の側部ミストエリミネータ部分
３３０  ダイヤモンド状の形状
３４０  接合部分
３５０  膨張部分
３６０  一体型ミストエリミネータ
４００  合成媒体パッド
４１０  マイクロチャネル
【図１】
2018162785.tif 000003
【図２】
2018162785.tif 000004
【図３】
2018162785.tif 000005
【図４】
2018162785.tif 000006
【図５】
2018162785.tif 000007
【図６】
2018162785.tif 000008
【外国語明細書】
2018162785000001.pdf